(57)【特許請求の範囲】
【請求項１】
ＭＰＥＧ２ＴＳ方式で伝送されるデジタル番組を送信サーバがインターネットで配信する際に、送信サーバから、デジタル番組を構成する映像、音声、データの各コンポーネントコンテンツ、ＭＰＥＧ２ＴＳ伝送方式に依存したコンテンツ識別情報により、前記デジタル番組の番組構成、伝送方法、番組内容、及びコンテンツ間のリンク情報を記述したＳＩ，及びＰＳＩからなる制御情報と、前記識別情報を記した識別子間の対応関係を記述した識別子対応テーブルを受信し、前記コンテンツの再構成を行うユーザ局における番組情報変換方法であって、
前記識別子対応テーブルは、前記デジタル番組の番組構成、伝送方法、番組内容、及びコンテンツ間のリンク情報を記述するために用いられる、各コンテンツを区別するためのＭＰＥＧ２ＴＳ伝送方式に依存したＭＰＥＧ２ＴＳ依存識別子と、前記デジタル番組を構成するコンテンツのインターネット上の識別情報であるＵＲＬ及び配信宛先アドレスを記述した、ＭＰＥＧ２ＴＳ伝送に依存しないコンテンツ識別子であるＭＰＥＧ２ＴＳ独立識別子との対応を記述したテーブルとし、
前記制御情報に基づき、受信したデジタル番組を構成する各コンテンツのＭＰＥＧ２ＴＳ依存識別子を識別子翻訳過程に受け渡すＥＰＧ処理過程と、
前記ＭＰＥＧ２ＴＳ依存識別子を受け取り、前記識別子対応テーブルを参照して対応するＭＰＥＧ２ＴＳ独立識別子を取得し、番組処理過程に受け渡す識別子翻訳過程と、
前記選択されたデジタル番組を構成する各コンテンツのＭＰＥＧ２ＴＳ独立識別子を受け取り、各コンテンツを同一画面内に表示すると共に、該コンテンツの少なくとも１つが他のコンテンツへのリンク情報を含み、当該リンクが選択された場合には、該リンク情報に記述されたＭＰＥＧ２ＴＳ依存識別子を前記識別子翻訳過程に受け渡して対応する前記ＭＰＥＧ２ＴＳ独立識別子を取得し、取得したＭＰＥＧ２ＴＳ独立識別子によりリンクされたコンテンツを呼び出して表示の切り替えを行う番組表示過程と、
を有することを特徴とするユーザ局における番組情報変換方法。
【請求項２】
ＭＰＥＧ２ＴＳ方式で伝送されるデジタル番組を送信サーバがインターネットで配信する際に、送信サーバから、デジタル番組を構成する映像、音声、データの各コンポーネントコンテンツ、ＭＰＥＧ２ＴＳ伝送方式に依存したコンテンツ識別情報により、前記デジタル番組の番組構成、伝送方法、番組内容、及びコンテンツ間のリンク情報を記述したＳＩ，及びＰＳＩからなる制御情報と、前記識別情報を記した識別子間の対応関係を記述した識別子対応テーブルを受信し、前記コンテンツの再構成を行うユーザ局であって、
前記識別子対応テーブルは、前記デジタル番組の番組構成、伝送方法、番組内容、及びコンテンツ間のリンク情報を記述するために用いられる、各コンテンツを区別するためのＭＰＥＧ２ＴＳ伝送方式に依存したＭＰＥＧ２ＴＳ依存識別子と、前記デジタル番組を構成するコンテンツのインターネット上の識別情報であるＵＲＬ及び配信宛先アドレスを記述した、ＭＰＥＧ２ＴＳ伝送に依存しないコンテンツ識別子であるＭＰＥＧ２ＴＳ独立識別子との対応を記述したテーブルとし、
前記制御情報に基づき、受信したデジタル番組を構成する各コンテンツのＭＰＥＧ２ＴＳ依存識別子を識別子翻訳部に受け渡すＥＰＧ処理部と、
前記ＭＰＥＧ２ＴＳ依存識別子を受け取り、前記識別子対応テーブルを参照して対応するＭＰＥＧ２ＴＳ独立識別子を取得し、番組処理部に受け渡す識別子翻訳部と、
前記選択されたデジタル番組を構成する各コンテンツのＭＰＥＧ２ＴＳ独立識別子を受け取り、各コンテンツを同一画面内に表示すると共に、該コンテンツの少なくとも１つが他のコンテンツへのリンク情報を含み、当該リンクが選択された場合には、該リンク情報に記述されたＭＰＥＧ２ＴＳ依存識別子を前記識別子翻訳部に受け渡して対応する前記ＭＰＥＧ２ＴＳ独立識別子を取得し、取得したＭＰＥＧ２ＴＳ独立識別子によりリンクされたコンテンツを呼び出して表示の切り替えを行う番組表示部と、
を備えたことを特徴とするユーザ局。
【請求項３】
ＭＰＥＧ２ＴＳ方式で伝送されるデジタル番組を送信サーバがインターネットで配信する際に、送信サーバから、デジタル番組を構成する映像、音声、データの各コンポーネントコンテンツ、ＭＰＥＧ２ＴＳ伝送方式に依存したコンテンツ識別情報により、前記デジタル番組の番組構成、伝送方法、番組内容、及びコンテンツ間のリンク情報を記述したＳＩ，及びＰＳＩからなる制御情報と、前記識別情報を記した識別子間の対応関係を記述した識別子対応テーブルを受信し、前記コンテンツの再構成を行うユーザ局における番組情報変換プログラムを、コンピュータが読み取り可能に記録した記録媒体であって、
前記識別子対応テーブルは、前記デジタル番組の番組構成、伝送方法、番組内容、及びコンテンツ間のリンク情報を記述するために用いられる、各コンテンツを区別するためのＭＰＥＧ２ＴＳ伝送方式に依存したＭＰＥＧ２ＴＳ依存識別子と、前記デジタル番組を構成するコンテンツのインターネット上の識別情報であるＵＲＬ及び配信宛先アドレスを記述した、ＭＰＥＧ２ＴＳ伝送に依存しないコンテンツ識別子であるＭＰＥＧ２ＴＳ独立識別子との対応を記述したテーブルとし、
前記制御情報に基づき、受信したデジタル番組を構成する各コンテンツのＭＰＥＧ２ＴＳ依存識別子を識別子翻訳手順に受け渡すＥＰＧ処理手順と、
前記ＭＰＥＧ２ＴＳ依存識別子を受け取り、前記識別子対応テーブルを参照して対応するＭＰＥＧ２ＴＳ独立識別子を取得し、番組処理手順に受け渡す識別子翻訳手順と、
前記選択されたデジタル番組を構成する各コンテンツのＭＰＥＧ２ＴＳ独立識別子を受け取り、各コンテンツを同一画面内に表示すると共に、該コンテンツの少なくとも１つが他のコンテンツへのリンク情報を含み、当該リンクが選択された場合には、該リンク情報に記述されたＭＰＥＧ２ＴＳ依存識別子を前記識別子翻訳手順に受け渡して対応する前記ＭＰＥＧ２ＴＳ独立識別子を取得し、取得したＭＰＥＧ２ＴＳ独立識別子によりリンクされたコンテンツを呼び出して表示の切り替えを行う番組表示手順と、
をコンピュータ上で実行するプログラムを記録したことを特徴とする記録媒体。
【発明の詳細な説明】
【０００１】
【発明の属する技術分野】
本発明は、ＭＰＥＧ２ＴＳ（ＭＰＥＧ２ Transport Stream）方式で伝送されるデジタル番組をインターネット配信する際に、送信された番組の構成情報や番組を構成する要素コンテンツ間の相互リンク情報を用いて、番組を再構成することを特徴とする番組変換方法及びユーザ局及びユーザ局プログラムを記録した記録媒体に関するものである。
【０００２】
【従来の技術】
デジタル放送サービスでは、映像／音声／データ等のマルテメディアコンテンツの集合として番組が構成され、一般視聴者に提供される。デジタル番組コンテンツはＭＰＥＧ２ＴＳを用いて伝送されており、各コンポーネントコンテンツに加え、番組の構成や伝送方法を記述したＰＳＩ（Program Specific Information：番組特定情報）や番組内容を記述したＳＩ（Service Information：番組配列情報）と呼ばれる番組情報も併せて伝送されている。
【０００３】
ＰＳＩやＳＩは、各コンポーネントコンテンツの連携やＥＰＧ（Electric Program Guide：電子番組ガイド）の構築のために、重要な情報であるが、ＭＰＥＧ２ＴＳによる伝送を前提とした形式で符号化されているため、ＩＰネットワーク上での配信や汎用のＰＣブラウザとの親和性が低いものである。従って、ＭＰＥＧ２ＴＳで配信されるデジタル番組をインターネット等のＩＰベースのネットワークで再配信する場合には、各コンポーネントコンテンツ自体の変換に加え、番組情報の変換も必要となる。
【０００４】
ＭＰＥＧ２ＴＳで配信される番組情報をインターネットに親和性の高い記述形式に変換するものがある。この技術では、図４に示すように、ＭＰＥＧ２ＴＳ方式で伝送されるＳＩを放送波から抽出し、独自の変換ルールに基づいてＳＩの情報内容をＨＴＭＬやＸＭＬのマークアップ言語形式にマッピングするものである。ＨＴＭＬやＸＭＬに変換することで、ＰＣ上の汎用プラウザで番組内容情報を利用し、ＥＰＧとして表示することができる。
【０００５】
なお、ＳＩをＨＴＭＬ形式に変換する技術と、ＳＩをＸＭＬ形式に変換する技術のうち、ＸＭＬ変換はＨＴＭＬ変換に比べ、番組内容情報の編集や表示において拡張性がある。
【０００６】
これらの技術は、ＳＩとして伝送される番組内容情報をＰＣ上で容易に利用、表示すること目的としており、ＳＩの情報内容をそのままＨＴＭＬやＸＭＬ形式に変換するものである。
【０００７】
【発明が解決しようとする課題】
ＰＳＩやＳＩ中には、ＥＰＧ表示用の番組内容情報に加え、番組構成の情報やコンテンツ間のリンク情報が記述されている。番組構成やリンク情報は、映像／音声／データ等の各コンテンツを区別する識別子を用いて記述されるが、これらのコンテンツ識別子はＭＰＥＧ２ＴＳ伝送に依存したものである。なお、このような識別子を以下ではＭＰＥＧ２依存識別子と呼ぶ。
【０００８】
したがって、ＳＩの情報内容をそのままＨＴＭＬまたはＸＭＬ形式に変換するのみの従来技術だけでは、デジタル番組のインターネット配信の際に、番組全体の構成やコンテンツ間のリンク指定を記述することが不可能となり、番組を受信したユーザが複数コンテンツの集合として番組を視聴することができないという問題が生じる。
【０００９】
本発明の目的は、上記の問題を解決した番組情報変換方法及びユーザ局及びユーザ局プログラムを記録した記録媒体を提供することにある。
【００１０】
【課題を解決するための手段】
本発明は、ユーザ局が送信サーバから配信される対応テーブル（ＭＰＥＧ２ＴＳ伝送時に利用される識別情報とインターネット配信時に利用されるＵＲＬや配信宛先アドレス等の識別情報の対応関係を記述）を用いて、コンテンツに記述されている識別情報を翻訳し、インターネットで配信された要素コンテンツから該当するコンテンツを参照し、呼び出した複数のコンテンツを画面上に表示することにより、インターネット経由で配信される要素コンテンツからＭＰＥＧ２ＴＳ伝送時と同様にデジタル番組を再構成し、ユーザの番組視聴を可能とするもので、以下の方法、装置および記録媒体を特徴とする。
【００１１】
（１）ＭＰＥＧ２ＴＳ方式で伝送されるデジタル番組を送信サーバがインターネットで配信する際に、送信サーバから、デジタル番組を構成する映像、音声、データの各コンポーネントコンテンツ、ＭＰＥＧ２ＴＳ伝送方式に依存したコンテンツ識別情報により、前記デジタル番組の番組構成、伝送方法、番組内容、及びコンテンツ間のリンク情報を記述したＳＩ，及びＰＳＩからなる制御情報と、前記識別情報を記した識別子間の対応関係を記述した識別子対応テーブルを受信し、前記コンテンツの再構成を行うユーザ局における番組情報変換方法であって、
前記識別子対応テーブルは、前記デジタル番組の番組構成、伝送方法、番組内容、及びコンテンツ間のリンク情報を記述するために用いられる、各コンテンツを区別するためのＭＰＥＧ２ＴＳ伝送方式に依存したＭＰＥＧ２ＴＳ依存識別子と、前記デジタル番組を構成するコンテンツのインターネット上の識別情報であるＵＲＬ及び配信宛先アドレスを記述した、ＭＰＥＧ２ＴＳ伝送に依存しないコンテンツ識別子であるＭＰＥＧ２ＴＳ独立識別子との対応を記述したテーブルとし、
前記制御情報に基づき、受信したデジタル番組を構成する各コンテンツのＭＰＥＧ２ＴＳ依存識別子を識別子翻訳過程に受け渡すＥＰＧ処理過程と、
前記ＭＰＥＧ２ＴＳ依存識別子を受け取り、前記識別子対応テーブルを参照して対応するＭＰＥＧ２ＴＳ独立識別子を取得し、番組処理過程に受け渡す識別子翻訳過程と、
前記選択されたデジタル番組を構成する各コンテンツのＭＰＥＧ２ＴＳ独立識別子を受け取り、各コンテンツを同一画面内に表示すると共に、該コンテンツの少なくとも１つが他のコンテンツへのリンク情報を含み、当該リンクが選択された場合には、該リンク情報に記述されたＭＰＥＧ２ＴＳ依存識別子を前記識別子翻訳過程に受け渡して対応する前記ＭＰＥＧ２ＴＳ独立識別子を取得し、取得したＭＰＥＧ２ＴＳ独立識別子によりリンクされたコンテンツを呼び出して表示の切り替えを行う番組表示過程と、
を有することを特徴とする。
【００１２】
（２）ＭＰＥＧ２ＴＳ方式で伝送されるデジタル番組を送信サーバがインターネットで配信する際に、送信サーバから、デジタル番組を構成する映像、音声、データの各コンポーネントコンテンツ、ＭＰＥＧ２ＴＳ伝送方式に依存したコンテンツ識別情報により、前記デジタル番組の番組構成、伝送方法、番組内容、及びコンテンツ間のリンク情報を記述したＳＩ，及びＰＳＩからなる制御情報と、前記識別情報を記した識別子間の対応関係を記述した識別子対応テーブルを受信し、前記コンテンツの再構成を行うユーザ局であって、
前記識別子対応テーブルは、前記デジタル番組の番組構成、伝送方法、番組内容、及びコンテンツ間のリンク情報を記述するために用いられる、各コンテンツを区別するためのＭＰＥＧ２ＴＳ伝送方式に依存したＭＰＥＧ２ＴＳ依存識別子と、前記デジタル番組を構成するコンテンツのインターネット上の識別情報であるＵＲＬ及び配信宛先アドレスを記述した、ＭＰＥＧ２ＴＳ伝送に依存しないコンテンツ識別子であるＭＰＥＧ２ＴＳ独立識別子との対応を記述したテーブルとし、
前記制御情報に基づき、受信したデジタル番組を構成する各コンテンツのＭＰＥＧ２ＴＳ依存識別子を識別子翻訳部に受け渡すＥＰＧ処理部と、
前記ＭＰＥＧ２ＴＳ依存識別子を受け取り、前記識別子対応テーブルを参照して対応するＭＰＥＧ２ＴＳ独立識別子を取得し、番組処理部に受け渡す識別子翻訳部と、
前記選択されたデジタル番組を構成する各コンテンツのＭＰＥＧ２ＴＳ独立識別子を受け取り、各コンテンツを同一画面内に表示すると共に、該コンテンツの少なくとも１つが他のコンテンツへのリンク情報を含み、当該リンクが選択された場合には、該リンク情報に記述されたＭＰＥＧ２ＴＳ依存識別子を前記識別子翻訳部に受け渡して対応する前記ＭＰＥＧ２ＴＳ独立識別子を取得し、取得したＭＰＥＧ２ＴＳ独立識別子によりリンクされたコンテンツを呼び出して表示の切り替えを行う番組表示部と、
を備えたことを特徴とする。
【００１３】
（３）ＭＰＥＧ２ＴＳ方式で伝送されるデジタル番組を送信サーバがインターネットで配信する際に、送信サーバから、デジタル番組を構成する映像、音声、データの各コンポーネントコンテンツ、ＭＰＥＧ２ＴＳ伝送方式に依存したコンテンツ識別情報により、前記デジタル番組の番組構成、伝送方法、番組内容、及びコンテンツ間のリンク情報を記述したＳＩ，及びＰＳＩからなる制御情報と、前記識別情報を記した識別子間の対応関係を記述した識別子対応テーブルを受信し、前記コンテンツの再構成を行うユーザ局における番組情報変換プログラムを、コンピュータが読み取り可能に記録した記録媒体であって、
前記識別子対応テーブルは、前記デジタル番組の番組構成、伝送方法、番組内容、及びコンテンツ間のリンク情報を記述するために用いられる、各コンテンツを区別するためのＭＰＥＧ２ＴＳ伝送方式に依存したＭＰＥＧ２ＴＳ依存識別子と、前記デジタル番組を構成するコンテンツのインターネット上の識別情報であるＵＲＬ及び配信宛先アドレスを記述した、ＭＰＥＧ２ＴＳ伝送に依存しないコンテンツ識別子であるＭＰＥＧ２ＴＳ独立識別子との対応を記述したテーブルとし、
前記制御情報に基づき、受信したデジタル番組を構成する各コンテンツのＭＰＥＧ２ＴＳ依存識別子を識別子翻訳手順に受け渡すＥＰＧ処理手順と、
前記ＭＰＥＧ２ＴＳ依存識別子を受け取り、前記識別子対応テーブルを参照して対応するＭＰＥＧ２ＴＳ独立識別子を取得し、番組処理手順に受け渡す識別子翻訳手順と、
前記選択されたデジタル番組を構成する各コンテンツのＭＰＥＧ２ＴＳ独立識別子を受け取り、各コンテンツを同一画面内に表示すると共に、該コンテンツの少なくとも１つが他のコンテンツへのリンク情報を含み、当該リンクが選択された場合には、該リンク情報に記述されたＭＰＥＧ２ＴＳ依存識別子を前記識別子翻訳手順に受け渡して対応する前記ＭＰＥＧ２ＴＳ独立識別子を取得し、取得したＭＰＥＧ２ＴＳ独立識別子によりリンクされたコンテンツを呼び出して表示の切り替えを行う番組表示手順と、
をコンピュータ上で実行するプログラムを記録したことを特徴とする。
【００１４】
【発明の実施の形態】
（１）概要の説明
図１を例に取り、デジタル番組のインターネット配信に適した番組情報変換を実現する本実施形態の概要を説明する。
【００１５】
本システムは、
番組構成の記述やコンポーネントコンテンツ間のリンク情報の記述を実現するため、ＭＰＥＧ２ＴＳに依存しないコンテンツ識別子（以下では独立識別子と呼ぶ）を導入し、
送信サーバにおいて、ＭＰＥＧ２ＴＳで伝送されるデジタル番組の構成要素である、映像／音声／データ等のコンポーネントコンテンツにＭＰＥＧ２ＴＳ独立識別子を付与し、
ＰＳＩやＳＩ等で利用されるＭＰＥＧ２ＴＳ依存識別子と、新たに付与したＭＰＥＧ２ＴＳ独立識別子の対応テーブルをコンテンツや番組情報ＸＭＬファイルと併せて伝送し、
ユーザ局において、インターネットを通して受信したコンテンツ及び番組情報ＸＭＬに記述されたＭＰＥＧ２ＴＳ依存識別子を識別子対応テーブルに記述されたＭＰＥＧ２ＴＳ独立識別子に翻訳することにより、番組情報ＸＭＬファイルやデータコンテンツの情報内容を書き換えることなく、番組の構成やリンク関係を保持し、
複数のコンポーネントコンテンツの集合としてのデジタル番組を視聴することができるシステムである。
【００１６】
（２）構成の説明
図１に示すシステム構成において、送信サーバ１、インターネット網２、ユーザ局３から構成される。
【００１７】
送信サーバ１は、デジタル番組を構成する各コンポーネントコンテンツに予め付与されているＭＰＥＧ２ＴＳ依存識別子を抽出する機能と、各コンポーネントコンテンツに新たにＭＰＥＧ２ＴＳ独立識別子を付与する機能と、抽出したＭＰＥＧ２ＴＳ依存識別子と付与したＭＰＥＧ２ＴＳ独立識別子の対応テーブルを作成し、ユーザ局に配信する機能を持つ。
【００１８】
ユーザ局３は、受信したコンテンツや番組情報ＸＭＬファイルに記述されたＭＰＥＧ２ＴＳ依存識別子を、識別子対応テーブルに記述されたＭＰＥＧ２ＴＳ独立識別子に翻訳して、コンテンツを表示、受信する機能を持つ。
【００１９】
図２にユーザ局の構成を示す。ユーザ局は、番組受信部２ａ、映像音声処理部２ｂ、データ処理部２ｃ、番組情報ＸＭＬファイル処理部２ｄ、識別子対応テーブル処理部２ｅ、番組表示／処理部２ｆ、ＥＰＧ表示／処理部２ｇ、識別子翻訳部２ｈ、番組要求送信部２ｉから構成される。
【００２０】
（３）機能の説明
ユーザ局の各機能について説明する。
【００２１】
番組受信部２ａの主な機能は、インターネットを介して配信される番組コンテンツを受信し、映像音声、データ、番組情報ＸＭＬファイル、識別子対応テーブルを格納したＩＰパケットを抽出する機能であり、従来と同じである。
【００２２】
映像音声処理部２ｂの主な機能は、抽出された映像音声を復号し、番組コンテンツ蓄積デバイス２ｊに保存する機能であり、従来と同じである。
【００２３】
データ処理部２ｃの主な機能は、抽出されたデータを復号し、番組コンテンツ蓄積デバイス２ｊに保存する機能であり、従来と同じである。
【００２４】
番組情報ＸＭＬファイル処理部２ｄの主な機能は、抽出された番組情報ＸＭＬファイルを復号する機能であり、従来と同じである。
【００２５】
識別子対応テーブル処理部２ｅの主な機能は、抽出された識別子対応テーブルを復号し、識別子テーブル蓄積デバイス２ｋに保存する機能である。
【００２６】
番組表示／処理部２ｆの主な機能は、番組を構成する映像音声、データ、コンテンツを同一画面内に表示し、さらに、ＭＰＥＧ２ＴＳ依存識別子を用いてあるコンテンツから他のコンテンツにリンク指定が記述されている場合には、識別子翻訳部２ｈに識別子を受渡し、識別子翻訳部から返信されるＭＰＥＧ２ＴＳ独立識別子に基づいて該当するコンテンツを呼び出し、切換え表示を行う機能である。
【００２７】
ＥＰＧ表示／処理部２ｇの主な機能は、番組情報ＸＭＬファイルの情報内容に基づき、ＥＰＧを表示し、ユーザからの番組選択を受付け、対応する番組を構成するコンテンツ識別子（ＭＰＥＧ２ＴＳ依存識別子）を識別子翻訳部に受け渡す機能である。
【００２８】
識別子翻訳部２ｈの主な機能は、番組表示／処理部２ｆ及びＥＰＧ表示／処理部２ｇから受渡されたＭＰＥＧ２ＴＳ依存識別子を蓄積された識別子対応テーブル２ｋを用いてＭＰＥＧ２ＴＳ独立識別子に翻訳し、番組表示／処理部２ｆに番組構成やリンクに対応するコンテンツの識別子を返信する機能である。また、識別子翻訳部２ｈでは、番組表示／処理部２ｆで表示するコンテンツが受信されていない場合には、番組要求送信部２ｉにＭＰＥＧ２ＴＳ独立識別子を受け渡す機能も有する。
【００２９】
番組要求送信部２ｉの主な機能は、識別子翻訳部から受渡されたＭＰＥＧ２ＴＳ独立識別子を用いて、送信サーバ１に未受信のコンテンツの送信要求を送信する機能である。
【００３０】
（４）動作の説明
図３に本実施形態におけるユーザ局の処理フローを示す。
【００３１】
（Ｓ１）ユーザ局は、番組情報ＸＭＬファイルから、ＥＰＧを表示する。
【００３２】
（Ｓ２）ユーザ局はＥＰＧから番組を選択し、番組選択の結果が番組を構成する各コンポーネントコンテンツのＭＰＥＧ２ＴＳ依存識別子として識別子翻訳部に受け渡される。
【００３３】
（Ｓ３）ＭＰＥＧ２ＴＳ依存識別子はＭＰＥＧ２ＴＳ独立識別子に翻訳され、番組を構成するコンポーネントコンテンツが呼び出される。
【００３４】
（Ｓ４）番組を構成するコンテンツが既に受信されている場合には、これらをユーザに提示する。
【００３５】
（Ｓ５、Ｓ６、Ｓ７）番組を構成するコンテンツが未受信の場合には、ＭＰＥＧ２ＴＳ独立識別子を用いて、送信サーバにコンテンツ送信要求を送信し、コンテンツを受信、蓄積した後、番組をユーザに提示する。
【００３６】
（Ｓ８）番組表示中に、あるコンテンツ等から別のコンテンツへリンク参照が選択された場合には、ＭＰＥＧ２ＴＳ依存識別子にて指定されたリンク先をＭＰＥＧ２ＴＳ独立識別子に翻訳し、該当するコンテンツを呼び出すため、（Ｓ３）〜（Ｓ７）の処理が再度実行される。
【００３７】
（Ｓ９）番組表示中に、別の番組が選択された場合には、（Ｓ２）〜（Ｓ７）の処理が再度実行される。
【００３８】
以上の動作により、ＭＰＥＧ２ＴＳで配信されるデジタル番組をインターネット配信する場合に、番組情報ＸＭＬファイルやデータコンテンツの情報内容を書き換えることなく、番組の構成やリンク関係を保持し、複数のコンポーネントコンテンツの集合としてのデジタル番組を視聴することが可能となる。
【００３９】
なお、本発明は、図１及び図２に示した装置又は図３に示した手順の一部又は全部をコンピュータプログラムで記載してそれを実行できるようにし、それをコンピュータが読み取り可能な記録媒体、例えば、ＦＤ（フロッピーディスク：商標登録）や、ＭＯ、ＲＯＭ、メモリカード、ＣＤ、ＤＶＤ、リムーバブルディスクなどに記録して提供し、配布することが可能である。
【００４０】
【発明の効果】
本発明によれば、ＭＰＥＧ２ＴＳで伝送されるデジタル番組を変換してインターネットで配信する際に、送信サーバにおいて、ＭＰＥＧ２ＴＳ依存識別子とＭＰＥＧ２ＴＳ独立識別子の対応テーブルをコンテンツ及びＰＳＩやＳＩの情報内容をマッピングした番組情報ＸＭＬファイルと併せて配信し、ユーザ局では、番組情報ＸＭＬファイルやコンテンツに記述されたＭＰＥＧ２ＴＳ依存識別子を、識別子対応テーブルを用いてＭＰＥＧ２ＴＳ独立識別子に変換し、番組構成情報やコンテンツ間のリンク関係に対応したコンテンツを正しく参照することができるようにしたため、複数のコンポーネントコンテンツから構成されるデジタル番組をインターネット経由で、ＭＰＥＧ２ＴＳで配信される場合と同様に視聴することができる。
【００４１】
また、本発明によれば、ユーザ局において識別子対応テーブルを元に識別子の翻訳を行うことにより、番組情報ＸＭＬファイル及びデータコンテンツの中でＭＰＥＧ２ＴＳ依存識別子を用いて番組構成やコンテンツ間のリンク指定を記述する場合に、送信サーバで番組情報ＸＭＬファイル及びデータコンテンツの情報内容を書き換える必要なしに、番組構成情報やコンテンツ間のリンク関係を正常に認識することができる。
【図面の簡単な説明】
【図１】本発明のシステム構成例。
【図２】本発明の実施形態におけるユーザ局の構成。
【図３】本発明の実施形態におけるユーザ局の処理フロー。
【図４】従来の番組情報の変換方式。
【符号の説明】
１…送信サーバ
２…インターネット
３…ユーザ局
２ａ…番組受信部
２ｂ…映像音声処理部２ｂ
２ｃ…データ処理部
２ｄ…番組情報ＸＭＬファイル処理部
２ｅ…識別子対応テーブル処理部
２ｆ…番組表示／処理部
２ｇ…ＥＰＧ表示／処理部
２ｈ…識別子翻訳部
２ｉ…番組要求送信部
【図１】
0003895954.tif 000002
【図２】
0003895954.tif 000003
【図３】
0003895954.tif 000004
【図４】
0003895954.tif 000005